(57)【要約】      （修正有）【課題】看者に対してより自然な植物に近い印象を与えられるような外観を有し、かつ、大きな負傷をする危険性が少ない植物型装飾体を提供する。【解決手段】自然植物茎２と、前記自然植物茎の先端に固定される小型装飾物３と、自然植物茎２と小型装飾物３とを固定するための固定具４とを有するものとする。【選択図】図１
0003107350.tif 000002
【実用新案登録請求の範囲】
【請求項１】
自然植物茎と、
前記自然植物茎の先端に固定される小型装飾物と、
前記自然植物茎と前記小型装飾物とを固定するための固定具とを有することを特徴とする植物型装飾体。
【考案の詳細な説明】
【技術分野】
【０００１】  本考案は、植物型装飾体に関し、さらに詳しくは、できる限り自然な植物に近い印象を与える装飾体に関する。
【背景技術】
【０００２】  従来、プレゼント等の飾り付けや部屋のインテリアに用いる装飾体としては種々のものが提供されており、たとえば、造花が挙げられる。【０００３】  このような造花は、花部分が紙、布、セロファン紙、プラスチック等の部材、茎部分はプラスチック管、針金、樹脂等の部材により形成されている。すなわち、人工的な部材によって形成されているのが一般的である。
【考案の開示】
【考案が解決しようとする課題】
【０００４】  上述のような造花は、自由度の高いアレンジを加えて気軽に装飾でき、さらには様々な色彩を実現できる点は周知の事実である。しかし、人工的な部材を使用して形成されているため、様々な色彩により生花のような色合いを表現しようとしても、外観がどうしても人工的になってしまうという問題が生じていた。【０００５】  さらに、造花における茎部分には、花部分を確実かつ安定して支持すべく、また、発泡スチロール等の土台に確実に固定すべく、太い針金が用いられることが多い。しかし、このように針金を用いると、土台から造花を引き抜いた際に、その先端部分で負傷するおそれがあり、特に、太い針金では大きな傷を負ってしまう危険性があるという問題も生じていた。【０００６】  そこで、本考案は、上記した従来の技術の有する問題点に鑑みてなされたものであり、その目的とするところは、看者に対してより自然な植物に近い印象を与えられるような外観を有し、かつ、大きな負傷をする危険性が少ない植物型装飾体を提供することを目的とする。
【課題を解決するための手段】
【０００７】  本考案に係る植物型装飾体１は、自然植物茎２と、前記自然植物茎２の先端に固定される小型装飾物３と、前記自然植物茎２と前記小型装飾物３とを固定するための固定具４とを有することを特徴とする。【０００８】  「植物型装飾体１」とは、植物を連想させる外観形状を有する装飾体を意味するものである。したがって、必ずしも、自然な植物と同じような花部分の形状及び茎部分の形状を有する外観となっている必要はない。たとえば、花部分としては、宝石などを紙や布で包んで花をイメージさせるように形成したものを用いることもできる。【０００９】  「自然植物茎２」とは、造花で用いられる、針金や樹脂等によって人工的に形成された茎は含まず、天然の植物における茎を意味するものである。自然植物茎２は、自然の植物であれば、その植物の種類等については特に限定されるものではない。ただし、前記自然植物茎２は、後述する小型装飾物３を固定して支持するものであるため、安定した支持をすべく、当該小型装飾物３の大きさに対応した太さの茎を有する自然植物を使用するのが望ましい。【００１０】  また、自然植物茎２は、たとえば、部屋のインテリアとして飾っていたが、寿命により花が枯れ落ちてしまったような生花の茎部分を使用するのが望ましい。これにより、本来ならば生ゴミ等となってしまう生花の茎を再利用し、ゴミを減らすことができるという効果をも奏することとなる。【００１１】  「小型装飾物３」とは、植物型装飾体１における花部分として設けられる飾り付け用の部材であり、上述の如く、前記自然植物茎２の先端に固定されるものである。小型装飾物３としては、前記自然植物茎２に固定して飾り付けられるものであれば、特に限定されるものではない。たとえば、セロファンやチュール等の部材を丸めることによって花のように形成したもの、造花、宝石等が挙げられる。また、包装紙によって包装されたチョコレートや飴玉のような小型菓子等を飾り付けることも可能である。また、前記自然植物茎２に固定される小型装飾物３の数も特に限定されるものではなく、１個の小型装飾物３を固定してもよく、又は、複数の小型装飾物３を固定してもよい。【００１２】  「固定具４」とは、上述の如く、小型装飾物３と自然植物茎２とを固定するための部材である。この固定具４は、小型装飾物３と自然植物茎２とを固定できれば、部材の種類や形状、固定方法については、特に限定されるものではない。たとえば、小型装飾物３に針型部材を固定具４として設け、この針型部材を自然植物茎２に刺入することにより、小型装飾物３を自然植物茎２に固定してもよい。また、細くて変形性に富む針金を巻きつけることによって小型装飾物３を自然植物茎２に固定してもよい。また、小型装飾物３の一部を、接着テープによって自然植物茎２に接着させて固定してもよい。なお、ここでは、この固定具４には液状の接着剤のようなものも含まれるものとする。
【考案の効果】
【００１３】  本考案は、以下に記載されるような効果を奏する。【００１４】  すなわち、本考案では、看者に対してより自然な植物に近い印象を与えられるような外観を有し、かつ、大きな負傷をする危険性が少ない植物型装飾体を提供することができる。
さらには、生花の茎を再利用することで、ゴミを減らすことができるような植物型装飾体を提供することもできる。
【考案を実施するための最良の形態】
【００１５】  以下、図面を参照しつつ、本考案の実施の形態を説明する。【００１６】  図１は、本考案の実施の形態に係る植物型装飾体１の外観斜視図、図２は、本考案の異なる実施の形態に係る植物型装飾体１の外観斜視図である。【００１７】  （植物型装飾体１）
図１に示すように、本実施の形態に係る植物型装飾体１には、自然植物茎２と、その一端に固定された小型装飾物３としての造花５が備えられている。【００１８】  （自然植物茎２）
本実施の形態に係る植物型装飾体１の自然植物茎２としては、バラ等の植物の茎が利用されている。【００１９】  （小型装飾物３）
上述の如く、自然植物茎２の一端に、小型装飾物３としての造花５が固定されている（図１参照）。この造花５は、合成繊維の布等によって形成されたものである。そして、図１に示すように、この造花５のガク部分に固定具４としての固定針８が備えられている。そして、この固定針８の先端部分が前記自然植物茎２に刺入されることで、小型装飾物３としての造花５が自然植物茎２に固定されている（図１参照）。【００２０】  また、本考案の異なる実施の形態として、図２に示すような小型装飾物３を備えるようにしてもよい。具体的には、前記小型装飾物３は、布７を花びらのような形に形成し、その中央部分に宝石６を接着して形成されたものである。そして、前記布７の一部を自然植物茎２に巻きつけ、さらに、その上から固定具４としての固定用針金９を巻きつけて、小型装飾物３を自然植物茎２に固定する（図２参照）。
【図面の簡単な説明】
【００２１】
【図１】本考案の実施の形態に係る植物型装飾体の外観斜視図である。
【図２】本考案の異なる実施の形態に係る植物型装飾体の外観斜視図である。
【符号の説明】
【００２２】  １  植物型装飾体      ２  自然植物茎
３  小型装飾物        ４  固定具
５  造花              ６  宝石
７  布                ８  固定針
９  固定用針金
【図１】
0003107350.tif 000003
【図２】
0003107350.tif 000004